(57)【要約】【課題】ハウジングに板状部材差込み部と複数のコンタクトとアクチュエータとが設けられて構成され、アクチュエータに誤った操作が加えられても、アクチュエータがハウジングから脱落してしまう事態を回避することができるコネクタ装置を提供する。【解決手段】第１の平坦外面部２０を有したハウジング１３における仕切り部２５が、第１の静止位置をとるアクチュエータ１９の本体部３４に対する位置規制を行う壁面部２８を有するものとされるとともに、ハウジング１３における仕切り部２５に、アクチュエータ１９が第１の静止位置から第２の静止位置に向かう方向とは反対方向に回動せしめられるとき、ハウジング１３における第１の平坦外面部２０より内側の第２の平坦外面部２１に近付いた位置においてアクチュエータ１９の本体部３４に係合し、当該本体部３４の上述の反対方向の回動についての支点を成す支点形成部３０が設けられる。【選択図】図１３
2018129248.tif 000002
【特許請求の範囲】
【請求項１】
相互対向する第１及び第２の平坦外面部を有し、該第１及び第２の平坦外面部の間に配線板状部材が差し込まれる板状部材差込み部が設けられるとともに、該板状部材差込み部との間が仕切り部によって部分的に仕切られた収容空間部が設けられたものとされて、配線基板に配されるハウジングと、
該ハウジングに配列配置されて、上記配線基板に設けられた配線端子に連結される状態におかれ、上記板状部材差込み部を通じて上記ハウジングに挿入された配線板状部材における複数の接触端子部に夫々対応する位置をとる複数のコンタクトと、
カム部，操作部及び上記カム部と上記操作部とを連結する本体部を有し、該本体部の一部と上記カム部とが上記収容空間部に収容され、上記カム部が上記複数のコンタクトに係合する状態をもって、上記ハウジングに対して回動可能に設けられ、上記操作部と該操作部に連なる上記本体部の部分とを上記ハウジングにおける第１の平坦外面部の外部に起き上がらせて、上記複数のコンタクトに上記複数の接触端子部に対する押圧接触状態から解放された状態をとらせる第１の静止位置と、上記操作部と該操作部に連なる上記本体部の部分とを上記ハウジングに対して伏したものとして、上記複数のコンタクトに上記押圧接触状態をとらせる第２の静止位置とを選択的にとるアクチュエータと、
を備えて構成され、
上記ハウジングにおける上記仕切り部が、上記第１の静止位置をとる上記アクチュエータの本体部に対する位置規制を行う壁面部を有するものとされるとともに、
上記ハウジングにおける上記仕切り部に、上記アクチュエータが上記第１の静止位置から上記第２の静止位置に向かう方向とは反対方向に回動せしめられるとき、上記ハウジングにおける上記第１の平坦外面部より内側の上記第２の平坦外面部に近付いた位置において上記アクチュエータの本体部に当接して該本体部の上記反対方向の回動についての支点を成す支点形成部が設けられたことを特徴とするコネクタ装置。
【請求項２】
上記仕切り部の壁面部が、上記第１の平坦外面部に直交するものとして形成され、上記支点形成部が、上記壁面部の一端に形成されることを特徴とする請求項１記載のコネクタ装置。
【請求項３】
上記壁面部の一端が、該壁面部の一端と上記第１の平坦外面部との間に形成された段部に連なることを特徴とする請求項２記載のコネクタ装置。
【請求項４】
上記仕切り部における上記壁面部及び上記支点形成部の組の複数個が上記複数のコンタクトの配列方向に沿って配列配置され、該複数個の上記壁面部及び上記支点形成部の組のうちの隣り合う二個が、上記複数のコンタクトのうちの対応するものを挟むものとされたことを特徴とする請求項１記載のコネクタ装置。
【請求項５】
上記複数のコンタクトの夫々が、上記ハウジングに設けられた複数の溝部のうちの対応するものに配される固定ビーム部と該固定ビーム部に連結部によって連結された可動ビームとを有したエ字状体を成し、上記固定ビーム部に上記配線基板に設けられた配線端子に接続される接続端子部が設けられるとともに、上記可動ビーム部に上記配線板状部材における複数の接触端子部のうちの対応するものに押圧接触する接触部が設けられたものとされ、上記アクチュエータのカム部が、上記複数のコンタクトの夫々における上記固定ビームと上記可動ビームとに挟まれて上記複数のコンタクトの夫々に係合するものとされることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、固体印刷配線基板等とされる配線基板に電気的に接続された状態とするため、当該配線基板に連結されたもとで配線板状部材における接触端子部に押圧接触する状態をとる複数のコンタクトと、複数のコンタクトが配列配置されたハウジングと、ハウジングに対して回動可能に配され、複数のコンタクトを配線板状部材における接触端子部に押圧接触させる位置をとるアクチュエータとを備え、配線基板に装着されて使用されるコネクタ装置に関する。
【背景技術】
【０００２】
各種の電子機器に実装される比較的小型なフレキシブル印刷配線基板や平板状ケーブル等の配線板状部材は、各種の電気部品が取り付けられる配線基板への取付けが、当該配線基板に電気的接続がなされて装着されたコネクタ装置が用いられて行われることが多いものとされる。このような配線板状部材の配線基板への取付けにあたって用いられるコネクタ装置は、配線板状部材に設けられた接触端子部に押圧接触せしめられる導電性のコンタクトを有していて、そのコンタクトを介して、配線板状部材に設けられた接触端子部を配線基板に設けられた配線部に電気的に連結する。
【０００３】
従来提案されている、例えば、フレキシブル印刷配線基板とされる配線板状部材の配線基板への取付けに用いられるコネクタ装置は、配線板状部材が差し込まれる板状部材差込み部が設けられたものとされて配線基板に配される、絶縁材料によって形成されたハウジングを有したものとされる。そして、多くの場合、斯かるハウジングに配列配置されて設けられ、配線板状部材が板状部材差込み部を通じてハウジングに差し込まれるとき、その配線板状部材に設けられた複数の接触端子部に夫々対応するものとなる複数のコンタクトと、ハウジングに対して回動可能に設けられ、複数のコンタクトの夫々に係合して、回動せしめられたとき複数のコンタクトを複数の接触端子部に夫々押圧接触させるアクチュエータとが備えられている。
【０００４】
斯かるコネクタ装置において、アクチュエータは、例えば、全体が複数のコンタクトの配列方向に沿って伸びる細長形状をとり、カム部，操作部及びカム部と操作部とを連結する本体部が設けられていて、カム部において複数のコンタクトの夫々と係合したもとで操作部が操作されることにより、ハウジングに対して回動せしめられる。
【０００５】
複数のコンタクトの各々は、導電性の弾性材料で形成され、ハウジングに位置固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
そして、配線基板に配されたハウジングに板状部材差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このような従来のコネクタ装置として、ハウジングに、板状部材差込み部に加えて、アクチュエータにおける本体部の部分及びカム部を収容する収容空間部が設けられ、ハウジングにおける板状部材差込み部が開口する一端部に対向する他端部から、アクチュエータにおける本体部の部分及びカム部が収容空間部に収められて、アクチュエータがハウジングに対して回動可能に取り付けられるものが提案されている（例えば、特許文献１参照。）。
【０００８】
特許文献１に示されるコネクタ装置（コネクタ(1))は、複数のコンタクト（端子(20)) が配列配置された電気絶縁材から作られたハウジング(10)とハウジングに対して回動可能とされたアクチュエータ（可動部材(30)) とを備えている。アクチュエータは、カム部(33)，操作部(32)及びカム部と操作部とを連結する本体部を有しており、本体部には、コンタクトの一端部を通す溝部(31)が形成されている。
【０００９】
そして、ハウジングは、各々の外面部が平坦面を成す上壁(10A) と底壁(10B) とを相互対向するものとして有しており、従って、一対の相互対向する平坦外面部を備えていることになる。斯かるハウジングにあっては、上壁と底壁との間、即ち、一対の相互対向する平坦外面部の間に、板状部材差込み部（ケーブル挿入空間(12)) が設けられていて、板状部材差込み部はハウジングの一端部（左端）において開口している。さらに、ハウジングには、板状部材差込み部が開口する一端部に対向する他端部側に、アクチュエータにおける本体部の部分及びカム部を収容する収容空間部が設けられており、この収容空間部は、板状部材差込み部との間が上壁の外面部、即ち、一対の相互対向する平坦外面部のうちの一方に直交する壁面部を有した仕切り部によって仕切られている。そして、仕切り部の壁面部の端部と壁面部が直交する一対の相互対向する平坦外面部のうちの一方の端部とは、両者が突き合う境界角部を形成している。
【００１０】
アクチュエータは、その本体部及び操作部がハウジングに対して立ち上がったものとなる姿勢をとるものとされたもとで、ハウジングにその他端部側から一端部側へと押し込まれ、その際、アクチュエータにおける本体部の部分及びカム部が、本体部に設けられた溝部にコンタクトにおける押圧腕部(21)の一端部が進入するようにして、収容空間部に収められ、アクチュエータにおけるカム部が、コンタクトにおける押圧腕部(21)の一端部と支持腕部(22)の一端部との間に配される。それにより、アクチュエータがハウジングに対して回動可能に組み付けられる。このようにして、本体部及び操作部がハウジングに対して立ち上がったものとなる姿勢をとるアクチュエータが、ハウジングにその他端部側から一端部側へと押し込まれるにあたり、板状部材差込み部と収容空間部との間を仕切る仕切り部の壁面部は、アクチュエータにおける本体部に対する位置規制部の役割を果たし、アクチュエータにおける本体部は、仕切り部の壁面部に近接した位置を組付け時の正規位置とするものとされる。
【００１１】
このようなもとで、特許文献１に示されるコネクタ装置にあっては、アクチュエータの本体部及び操作部がハウジングに対して立ち上がった位置をとるものとされたもとで、配線板状部材（平型導体(C))がハウジングの一端部において開口する板状部材差し込部を通じてハウジングに差し込まれ、その後、アクチュエータの操作部が操作され、アクチュエータの本体部及び操作部が、ハウジングに対して立ち上がった位置からハウジングの他端部側に回動せしめられて、ハウジングに対して伏した位置をとるものとされる。それに伴い、アクチュエータのカム部がコンタクトにおける押圧腕部の一端部をコンタクトにおける支持腕部の一端部から離隔する方向に変位させ、それにより、コンタクトにおける押圧腕部に形成された押圧部(21A) に、ハウジングに差し込まれた配線板状部材を押圧する状態をとらせる。その結果、コンタクトにおける押圧腕部に形成された押圧部あるいは支持腕部に形成された支持部(22A) が配線板状部材における接続回路面に押圧接触し、コンタクトと配線板状部材とが電気的接続状態におかれる。
【先行技術文献】
【特許文献】
【００１２】
【特許文献１】特開２０１０−４４８９８号公報
【発明の概要】
【発明が解決しようとする課題】
【００１３】
上述のような、配線板状部材の配線基板への取付けに用いられるコネクタ装置として従来提案されている、ハウジングに、一対の相互対向する平坦外面部の間に形成された板状部材差込み部と、板状部材差込み部との間が一対の相互対向する平坦外面部に直交する壁面部を有した仕切り部によって仕切られて形成された、アクチュエータにおける本体部の部分及びカム部を収容する収容空間部と、が設けられたコネクタ装置にあっては、本体部の部分及びカム部がハウジングに設けられた収容空間部に収容されたアクチュエータが、その本体部及び操作部がハウジングに対して立ち上がった位置をとるものとされたもとで、操作部に誤った操作が加えられ、それにより、本体部及び操作部がハウジングに対して立ち上がった位置から、ハウジングに対して伏した位置をとるハウジングの他端部側とは反対側の、板状部材差込み部が開口するハウジングの一端部側に回動せしめられる事態が生じ得るものとされる。
【００１４】
そして、アクチュエータにおける操作部に斯かる誤操作が加えられたときには、ハウジングにおける板状部材差込み部が開口する一端部側に回動せしめられるアクチュエータにおける本体部が、板状部材差込み部と収容空間部との間を仕切る仕切り部の壁面部の端部と当該壁面部が直交するハウジングの一対の相互対向する平坦外面部のうちの一方の端部とが突き合う境界角部に当接し、当該境界角部を支点にした回動を生じるものとなる。その際、アクチュエータにおける本体部の回動の支点を形成する支点形成部を成す境界角部は、ハウジングの一対の相互対向する平坦外面部のうちの一方の位置にあって、アクチュエータにおけるカム部までの距離が比較的大とされるので、コンタクトにおける押圧腕部の一端部と支持腕部の一端部との間に配されたアクチュエータにおけるカム部は、境界角部が成す支点形成部を中心とする比較的大なる半径を有した円弧に沿って移動することになり、コンタクトにおける押圧腕部の一端部と支持腕部の一端部との間の位置からコンタクト外に出てしまう事態がもたらされる。
【００１５】
即ち、上述の従来提案されているコネクタ装置は、アクチュエータの操作部に誤った操作が加えられると、アクチュエータにおけるカム部が複数のコンタクトの夫々から外れてしまい、アクチュエータがハウジングから脱落してしまう虞があるという不都合を伴っていることになる。
【００１６】
斯かる点に鑑み、本願の特許請求の範囲に記載された発明は、配線板状部材の配線基板への取付けに用いられるコネクタ装置であって、ハウジングに、一対の相互対向する平坦外面部の間に形成された板状部材差込み部と、板状部材差込み部との間が壁面部を有した仕切り部によって仕切られて形成され、アクチュエータにおける本体部の一部及びカム部を収容する収容空間部と、が設けられたもとにおいて、アクチュエータの操作部に誤った操作が加えられても、アクチュエータにおけるカム部が複数のコンタクトの夫々から外れてしまい、アクチュエータがハウジングから脱落してしまう事態を回避することができるものを提供する。
【課題を解決するための手段】
【００１７】
本願の特許請求の範囲における請求項１から請求項５までのいずれかに記載された発明（以下、本願発明という。）に係るコネクタ装置は、相互対向する第１及び第２の平坦外面部を有し、それらの間に配線板状部材が差し込まれる板状部材差込み部が設けられるとともに、板状部材差込み部との間が仕切り部によって部分的に仕切られた収容空間部が設けられたものとされて、配線基板に配されるハウジングと、ハウジングに配列配置されて、配線基板に設けられた配線端子に連結される状態におかれ、板状部材差込み部を通じてハウジングに挿入された配線板状部材における複数の接触端子部に夫々対応する位置をとる複数のコンタクトと、カム部，操作部及びカム部と操作部とを連結する本体部を有し、本体部の一部とカム部とがハウジングにおける収容空間部に収容され、カム部が複数のコンタクトに係合する状態をもって、ハウジングに対して回動可能に設けられ、操作部とそれに連なる本体部の部分とをハウジングにおける第１の平坦外面部の外部に起き上がらせて、複数のコンタクトに配線板状部材における複数の接触端子部に対する押圧接触状態から解放された状態をとらせる第１の静止位置と、操作部とそれに連なる本体部の部分とをハウジングに対して伏したものとして、複数のコンタクトに上述の押圧接触状態をとらせる第２の静止位置とを選択的にとるアクチュエータと、を備えて構成され、ハウジングにおける仕切り部が、第１の静止位置をとるアクチュエータの本体部に対する位置規制を行う壁面部を有するものとされるとともに、ハウジングにおける上記仕切り部に、アクチュエータが第１の静止位置から第２の静止位置に向かう方向とは反対方向に回動せしめられるとき、ハウジングにおける第１の平坦外面部より内側の第２の平坦外面部に近付いた位置においてアクチュエータの本体部に当接して当該本体部の上述の反対方向の回動についての支点を成す支点形成部が設けられたことを特徴とするものとされる。
【００１８】
このような本願発明に係るコネクタ装置にあっては、操作部とそれに連なる本体部の部分とをハウジングにおける第１の平坦外面部の外部に起き上がらせて第１の静止位置をとるアクチュエータの本体部に対する位置規制を行うハウジングにおける仕切り部の壁面部は、例えば、アクチュエータが操作部とそれに連なる本体部の部分とをハウジングにおける第１の平坦外面部の外部に起き上がらせる状態をもって、本体部の一部とカム部とがハウジングにおける収容空間部に収容されるべく組み付けられる際に、アクチュエータの本体部に当接してその移動を制限し、当該本体部に壁面部に当接した正規位置をとらせる。そして、ハウジングに組み付けられたアクチュエータが第１の静止位置をとるもとにおいて、例えば、フレキシブル印刷配線基板とされる配線板状部材がハウジングに設けられた板状部材差込み部に差し込まれ、その後、アクチュエータの操作部に適正な操作が加えられて、アクチュエータが第１の静止位置から第２の静止位置へと回動せしめられると、アクチュエータは、複数のコンタクトに係合したカム部の作用により、複数のコンタクトに、板状部材差込み部に差し込まれた配線板状部材における複数の接触端子部に対する押圧接触状態をとらせる。また、第２の静止位置をとるものとされたアクチュエータの操作部に適正な操作が加えられて、アクチュエータが第２の静止位置から第１の静止位置へと回動せしめられると、アクチュエータは、複数のコンタクトに係合したカム部の作用により、複数のコンタクトに、板状部材差込み部に差し込まれた配線板状部材における複数の接触端子部に対する押圧接触状態から解放された状態をとらせる。
【００１９】
斯かる本願発明に係るコネクタ装置において、操作部とそれに連なる本体部の部分とをハウジングにおける第１の平坦外面部の外部に起き上がらせて第１の静止位置をとるものとされたアクチュエータが、その操作部に誤った操作が加えられて、第１の静止位置から第２の静止位置に向かう方向とは反対方向に回動せしめられる事態が生じると、ハウジングにおける第１の平坦外面部より内側の第２の平坦外面部に近付いた位置に設けられた支点形成部がアクチュエータの本体部に当接して係合し、アクチュエータの本体部が、それに当接する支点形成部を支点にして、上述の反対方向の回動を行う。その際、アクチュエータにおける本体部の上述の反対方向の回動についての支点を成す支点形成部は、ハウジングにおける第１の平坦外面部より内側の第２の平坦外面部に近付いた位置に配されているので、ハウジングにおける収容空間部に配されたアクチュエータにおけるカム部までの距離が比較的小なるものとされる。その結果、ハウジングにおける収容空間部において複数のコンタクトに係合したカム部は、支点形成部を中心とする比較的小なる半径を有した円弧に沿って移動しようとするものとされる。
【発明の効果】
【００２０】
上述のような本願発明に係るコネクタ装置によれば、操作部とそれに連なる本体部の部分とをハウジングにおける第１の平坦外面部の外部に起き上がらせて第１の静止位置をとるものとされたアクチュエータが、その操作部に誤った操作が加えられて、第１の静止位置から第２の静止位置に向かう方向とは反対方向に回動せしめられる事態が生じると、アクチュエータの本体部が、第１の平坦外面部より内側の第２の平坦外面部に近付いた位置に設けられた支点形成部を支点にして上述の反対方向の回動を行うが、その際、ハウジングにおける収容空間部において複数のコンタクトに係合したアクチュエータにおけるカム部は、支点形成部を中心とする比較的小なる半径を有した円弧に沿って移動しようとするものとされて、複数のコンタクトとの係合状態を解除することがないものとされる。その結果、アクチュエータの操作部に誤った操作が加えられても、アクチュエータにおけるカム部が複数のコンタクトの夫々から外れてしまい、アクチュエータがハウジングから脱落してしまう事態を回避することができることになる。
【図面の簡単な説明】
【００２１】
【図１】本願発明に係るコネクタ装置の一例をそれが固着された配線基板及びそれに装着されるフレキシブル印刷配線基板と共に示す斜視図である。
【図２】本願発明に係るコネクタ装置の一例をそれが固着された配線基板及びそれに装着されるフレキシブル印刷配線基板と共に示す平面図である。
【図３】本願発明に係るコネクタ装置の一例に備えられるハウジングを示す斜視図である。
【図４】本願発明に係るコネクタ装置の一例に備えられるハウジングを示す斜視図である。
【図５】図４における一点鎖線円内を拡大して示す部分拡大図である。
【図６】本願発明に係るコネクタ装置の一例についてのフレキシブル印刷配線基板が装着されていないもとでアクチュエータが第１の静止位置をとる状態を示す断面図である。
【図７】本願発明に係るコネクタ装置の一例についてのフレキシブル印刷配線基板が装着されていないもとでアクチュエータが第１の静止位置をとる状態を示す断面図である。
【図８】本願発明に係るコネクタ装置の一例にフレキシブル印刷配線基板が装着されてアクチュエータが第２の静止位置をとる状態を、本願発明に係るコネクタ装置の一例が固着された配線基板と共に示す斜視図である。
【図９】本願発明に係るコネクタ装置の一例にフレキシブル印刷配線基板が装着されてアクチュエータが第２の静止位置をとる状態を、本願発明に係るコネクタ装置の一例が固着された配線基板と共に示す平面図である。
【図１０】本願発明に係るコネクタ装置の一例についてのフレキシブル印刷配線基板が装着されたもとでアクチュエータが第２の静止位置をとる状態を示す断面図である。
【図１１】本願発明に係るコネクタ装置の一例についてのフレキシブル印刷配線基板が装着されたもとでアクチュエータが第２の静止位置をとる状態を示す断面図である。
【図１２】本願発明に係るコネクタ装置の一例についてのアクチュエータの操作部に誤った操作が加えられた状態を示す断面図である。
【図１３】本願発明に係るコネクタ装置の一例についてのアクチュエータの操作部に誤った操作が加えられた状態を示す断面図である。
【図１４】本願発明に係るコネクタ装置の一例に関連する構成を有した仮想コネクタ装置についてのアクチュエータの操作部に誤った操作が加えられた状態を示す断面図である。
【発明を実施するための形態】
【００２２】
本願発明を実施するための形態は、以下に述べられる本願発明についての実施例をもって説明される。
【実施例】
【００２３】
図１（斜視図）及び図２（平面図）は、本願発明に係るコネクタ装置の一例を成すコネクタ装置１０を、それが固着された配線基板１１及びそれに装着される配線板状部材を成すフレキシブル印刷配線基板１２と共に示す。
【００２４】
図１及び図２において、コネクタ装置１０は、合成樹脂等の絶縁材料によって形成され、電子機器等の配線基板１１に配されるハウジング１３を備えている。ハウジング１３には、各々が弾性導電材料で形成された複数のコンタクト１４が、ハウジング１３の長手方向に沿う方向において配列配置されて設けられている。複数のコンタクト１４の夫々は、その大部分がハウジング１３の内部に収容されたものとされているが、一端部がハウジング１３における正面側端縁部に対向する背面側端縁部からその外部に突出して接続端子部１４ａを形成している。
【００２５】
コネクタ装置１０が実用に供される際には、ハウジング１３が、電子機器等の配線基板１１に取り付けられるが、ハウジング１３における長手方向である複数のコンタクト１４の配列方向（以下、コンタクト配列方向という。）の一対の端部１５及び１６（両端部）には、一対の固定金属部材１７及び１８が夫々配されている。これらの一対の固定金属部材１７及び１８は、ハウジング１３が配線基板１１に取り付けられるにあたって配線基板１１に固定され、ハウジング１３の配線基板１１への実装に寄与する。
【００２６】
さらに、ハウジング１３における背面側端縁部側には、コンタクト配列方向、即ち、ハウジング１３の長手方向に沿って伸び、その長手方向がハウジング１３の長手方向に一致することになるアクチュエータ１９が、ハウジング１３に対して回動可能に設けられている。このアクチュエータ１９は、図１及び図２に示されるような、ハウジング１３に対して起き上がった状態におかれるものとされる位置を、第１の静止位置としてとることができ、また、後述される図８及び図９に示されるような、ハウジング１３に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００２７】
このようなもとで、ハウジング１３は、図３に示されるように、相互対向する第１の平坦外面部２０及び第２の平坦外面部２１を有しており、これら一対の第１及び第２の平坦外面部２０及び２１の間に、ハウジング１３の正面側端縁部において開口し、フレキシブル印刷配線基板１２が差し込まれる状態がとられる板状部材差込み部２２が設けられたものとされている。板状部材差込み部２２は、それが開口するハウジング１３の正面側端縁部からハウジング１３の内部へと拡がっている。ハウジング１３における板状部材差込み部２２を形成する第１の平坦外面部２０の内側の部分及び第２の平坦外面部２１の内側の部分には、複数のコンタクト１４が夫々挿入される複数の溝部２３及び２４が設けられている。
【００２８】
また、ハウジング１３には、図４に示されるようにその背面側端縁部側に、板状部材差込み部２２との間が複数の仕切り部２５によって部分的に仕切られた収容空間部２６が設けられており、収容空間部２６は、アクチュエータ１９を部分的に収容する。複数の仕切り部２５のうちの隣り合う二個の間にはスリット部２７が設けられており、スリット部２７には、複数のコンタクト１４のうちの対応するものの一部分が配される。
【００２９】
図４における一点鎖線円内を拡大して示す図５に示されるように、複数の仕切り部２５の夫々は、ハウジング１３の第１の平坦外面部２０に直交するものとして形成された壁面部２８及び壁面部２８の一端と第１の平坦外面部２０との間に形成された段部２９を有している。壁面部２８は、アクチュエータ１９に対する位置規制を行う状態をとるものとされており、段部２９とそれに連なる壁面部２８の一端との両者が突き合う境界角部は支点形成部３０を形成している。支点形成部３０は、アクチュエータ１９の回動についての支点を成す状態をとる。従って、ハウジング１３に設けられた仕切り部２５にあっては、ハウジング１３における第１の平坦外面部２０より内側の第２の平坦外面部２１に近付いた位置において、アクチュエータ１９の回動についての支点を成す支点形成部３０が設けられていることになる。
【００３０】
このようなもとで、ハウジング１３に設けられた複数の仕切り部２５にあっては、各仕切り部２５におけるの壁面部２８及び支点形成部３０の組の複数個がコンタクト配列方向に沿って配列配置され、複数個の壁面部２８及び支点形成部３０の組のうちの隣り合う二個が、その一部分がスリット部２７に配されたコンタクト１４を挟むものとされていることになる。
【００３１】
アクチュエータ１９は、全体として、板状体を成すものとされており、斯かるアクチュエータ１９には、その長手方向に沿って配列配置された複数の透孔３１が形成されている。これらの透孔３１の夫々は、ハウジング１３に対して回動可能に設けられたアクチュエータ１９が第１の静止位置をとるとき、ハウジング１３に配列配置されて交互に配された複数のコンタクト１４におけるハウジング１３の背面側端縁部側の端部が貫通するものとされている。そして、アクチュエータ１９は、後述される図６及び図１０に示される、各々が複数のコンタクト１４の夫々におけるハウジング１３の背面側端縁部側の端部に係合するものとされる複数のカム部３２，操作部３３及び複数のカム部３２と操作部３３とを連結する本体部３４とを有しており、本体部３４の一部と複数のカム部３２とがハウジング１３における収容空間部２６に収容され、操作部３３とそれに連なる本体部３４の部分とをハウジング１３における第１の平坦外面部２０の外部に起き上がらせて、第１の静止位置をとり、また、操作部３３とそれに連なる本体部３４の部分とをハウジング１３に対して伏したものとして、第２の静止位置をとる。
【００３２】
ハウジング１３に配列配置されて設けられた複数のコンタクト１４の夫々は、図６に示されるように、金属板材等の弾性導電材料で形成された、全体として「エ」字状を成す板状部材とされている。このような「エ」字状とされたコンタクト１４にあっては、連結部３５によって相互連結された一対のビーム部３６及び３７のうち、ビーム部３６がハウジング１３に設けられた溝部２４に挿入されて位置固定される固定部を成し、ビーム部３７がハウジング１３に設けられた溝部２３に挿入されて可動とされる作動部を成す。そして、固定部を成すビーム部３６のハウジング１３の正面側端縁部側の部分と作動部を成すビーム部３７のハウジング１３の正面側端縁部側の部分とは、ハウジング１３における第１及び第２の平坦外面部２０及び２１の間において相互対向するものとされている。固定部を成すビーム部３６におけるハウジング１３の背面側端縁部側の端部は、ハウジング１３の背面側端縁部からその外部に導出されて接続端子部１４ａを成すものとされており、ハウジング１３が配される配線基板１１に設けられた配線端子に連結される。
【００３３】
上述のような複数のコンタクト１４が配列配置されて設けられたハウジング１３にあっては、その背面側端縁部側からのアクチュエータ１９の組付けが行われる。斯かるアクチュエータ１９のハウジング１３に対する組付けが行われるときには、アクチュエータ１９は、操作部３３とそれに連なる本体部３４の部分とをハウジング１３における第１の平坦外面部２０の外部に起き上がらせる状態をもって、複数のコンタクト１４の夫々のビーム部３７の端部３７ａが透孔３１を貫通するようにして、ハウジング１３にその背面側端縁部側から押し込まれて組み付けられる。その際、図７に示されるように、ハウジング１３おける複数の仕切り部２５の夫々の壁面部２８が、ハウジング１３の背面側端縁部側から正面側端縁部側に向けて移動せしめられるアクチュエータ１９の本体部３４に当接してその移動を制限し、当該本体部３４に壁面部２８に係合した正規位置をとらせる。
【００３４】
このようにしてハウジング１３に組み付けられたアクチュエータ１９は、その本体部３４の一部とカム部３２とがハウジング１３における収容空間部２６に収容されるものとされて、仕切り部２５の壁面部２８がアクチュエータ１９の本体部３４に対する位置規制をする状態をもって、第１の静止位置をとる状態におかれる。そして、ハウジング１３に対して回動可能に配されたアクチュエータ１９に配列配置されて設けられた複数のカム部３２の夫々が、図６に示されるように、複数のコンタクト１４のうちの対応するものにおけるビーム部３６の接続端子部１４ａを成す端部の近傍となる部分３６ａとそれに対向するビーム部３７の端部３７ａとに挟まれたものとされてコンタクト１４に係合し、アクチュエータ１９の回動に伴って回動せしめられる。
【００３５】
板状部材差込み部２２を通じてハウジング１３に挿入されるフレキシブル印刷配線基板１２には、図１及び図２に示されるように、その一端部において、複数の接触端子部４１が、ハウジング１３に対する板状部材差込み部２２を通じたフレキシブル印刷配線基板１２の差込みまたは抜出し方向に直交する方向に配列配置されている。そして、複数の接触端子部４１が配列配置されたフレキシブル印刷配線基板１２の一端部は端子端部４２を構成しており、端子端部４２は、複数の接触端子部４１の配列方向（以下、接触端子配列方向という。）に伸びる先端部４３を形成している。また、フレキシブル印刷配線基板１２における端子端部４２の接触端子配列方向において相互対向する一対の側縁部には、各々が突出片部を成す一対の被係合部４４及び４５が夫々形成されている。さらに、フレキシブル印刷配線基板１２にあっては、端子端部４２に連なって回路構成部４６が広がっている。
【００３６】
このようなフレキシブル印刷配線基板１２に対応して、コネクタ装置１０にあっては、ハウジング１３に配列配置されて設けられた複数のコンタクト１４が、フレキシブル印刷配線基板１２に配列配置された複数の接触端子部４１に夫々接触接続される信号用コンタクトとして設けられてる。但し、複数のコンタクト１４は、フレキシブル印刷配線基板１２とは別の他のフレキシブル印刷配線基板における複数の信号接続端子部及び接地接続部に接触接続される信号用及び接地用コンタクトとして用いられてもよい。
【００３７】
そして、フレキシブル印刷配線基板１２は、板状部材差込み部２２を通じてハウジング１３に差し込まれるにあたっては、その端子端部４２における複数の接触端子部４１が配された面及びそれに対向する面が、ハウジング１３における第１及び第２の平坦外面部２０及び２１の間で相互対向する状態におかれる。
【００３８】
このようなもとで、コネクタ装置１０においてアクチュエータ１９が第１の静止位置をとる状態のもとで、図６及び図７に示されるように、フレキシブル印刷配線基板１２が、その端子端部４２をもってハウジング１３における板状部材差込み部２２に差し込まれて、ハウジング１３に挿入され、フレキシブル印刷配線基板１２における端子端部４２が形成する先端部４３が、例えば、複数のコンタクト１４の夫々における連結部３５に近接した所定の位置に達したとき、フレキシブル印刷配線基板１２のハウジング１３への挿入が完了せしめられる。そして、フレキシブル印刷配線基板１２のハウジング１３への板状部材差込み部２２を通じた挿入が完了すると、アクチュエータ１９が、その操作部３３に適正な操作が加えられて、第１の静止位置から第２の静止位置へとハウジング１３に対して回動せしめられ、図８（斜視図），図９（平面図），図１０（側面図）及び図１１（側面図）に示されるように、第２の静止位置をとるものとされる。それにより、ハウジング１３に挿入されたフレキシブル印刷配線基板１２に対して、ハウジング１３に配列配置された複数のコンタクト１４が押圧係合する状態がとられる。
【００３９】
斯かる際にあっては、フレキシブル印刷配線基板１２の端子端部４２が、ハウジング１３に設けられた板状部材差込み部２２に収容されて、ハウジング１３内に配された状態とされるとともに、フレキシブル印刷配線基板１２の回路構成部４６がハウジング１３外に配された状態とされる。このとき、板状部材差込み部２２に収容されたフレキシブル印刷配線基板１２の端子端部４２は、図１０に示されるように、板状部材差込み部２２内において、複数のコンタクト１４の夫々における固定部を成すビーム部３６のハウジング１３における正面側端縁部側の部分と作動部を成すビーム部３７の正面側端縁部側の部分との間に配される。
【００４０】
このようにして、フレキシブル印刷配線基板１２の端子端部４２がハウジング１３内に配されたもとにあっては、ハウジング１３に配列配置された複数のコンタクト１４が、フレキシブル印刷配線基板１２の端子端部４２における複数の接触端子部４１に夫々適正に対応する位置をとるものとされる。
【００４１】
また、このとき、フレキシブル印刷配線基板１２に形成された各々が突出片部を成す一対の被係合部４４及び４５に、ハウジング１３の端部１５に配された固定金属部材１７に設けられた係合係止部（図示されていない。）及びハウジング１３の端部１６に配された固定金属部材１８に設けられた係合係止部（図示されていない。）が夫々係合する。それにより、フレキシブル印刷配線基板１２が不所望にハウジング１３から抜脱される事態が回避される。
【００４２】
そして、アクチュエータ１９が、第１の静止位置から第２の静止位置へとハウジング１３に対して回動せしめられて、第２の静止位置をとるものとされると、図１１に示されるように、アクチュエータ１９の本体部３４がハウジング１３に設けられた複数の仕切り部２５の夫々における壁面部２８から離隔せしめられ、アクチュエータ１９の操作部３３とそれに連なる本体部３４の部分とがハウジング１３に対して伏したものとされる。それとともに、図１０に示されるように、ハウジング１３に挿入されたフレキシブル印刷配線基板１２に対して、ハウジング１３に配列配置された複数のコンタクト１４が押圧係合する状態がとられる。このようなハウジング１３に挿入されたフレキシブル印刷配線基板１２に対する複数のコンタクト１４の押圧係合は、複数のコンタクト１４が、板状部材差込み部２２に収容されたフレキシブル印刷配線基板１２の端子端部４２における複数の接触端子部４１に、夫々押圧接触するものとされることによりなされる。
【００４３】
斯かる際においては、先ず、アクチュエータ１９が第１の静止位置をとり、ハウジング１３に板状部材差込み部２２を通じて挿入されたフレキシブル印刷配線基板１２の端子端部４２が、板状部材差込み部２２内において、複数のコンタクト１４の夫々における固定部を成すビーム部３６におけるハウジング１３の正面側端縁部側の端部３６ｂを含む部分と、作動部を成すビーム部３７におけるハウジング１３の正面側端縁部側の端部３７ｂを含む部分と、の間に配されたもとにおいて、第１の静止位置をとるアクチュエータ１９が、第１の静止位置から第２の静止位置に移行すべく回動せしめられる。それにより、アクチュエータ１９の第１の静止位置から第２の静止位置への移行に伴って、図１０に示されるように、アクチュエータ１９に設けられたカム部３２が、その極大寸法部を対応するコンタクト１４におけるビーム部３６の部分３６ａとビーム部３７の端部３７ａとの両者に係合させる。
【００４４】
コンタクト１４におけるビーム部３６の部分３６ａとビーム部３７の端部３７ａとの両者に係合するカム部３２の極大寸法部は、ビーム部３７の端部３７ａをビーム部３６の端部３６ａから離隔させる方向に変位させて、ビーム部３７に、仮にフレキシブル印刷配線基板１２の端子端部４２が板状部材差込み部２２に収容されていないとすれば、ビーム部３６の端部３６ｂとビーム部３７の端部３７ｂとが板状部材差込み部２２内において形成する相互間間隔を狭めることになる応力を作用させる。それにより、ビーム部３７は、その端部３７ｂが板状部材差込み部２２に収容されたフレキシブル印刷配線基板１２の端子端部４２における複数の接触端子部４１のうちの対応するものに押圧接触することになり、複数のコンタクト１４の夫々が、複数の接触端子部４１のうちの対応するものに対する接触接続状態におかれる。それにより、板状部材差込み部２２に収容されたフレキシブル印刷配線基板１２の端子端部４２における複数の接触端子部４１の夫々が、対応するコンタクト１４を通じて、ハウジング１３が配された配線基板１１に設けられた配線端子に電気的に連結されることになる。
【００４５】
その後、第２の静止位置をとるものとされたアクチュエータ１９の操作部３３に適正な操作が加えられて、アクチュエータ１９が第２の静止位置から第１の静止位置へと回動せしめられると、アクチュエータ１９は、複数のコンタクト１４に係合したカム部３２の作用により、複数のコンタクト１４に、板状部材差込み部２２に差し込まれたフレキシブル印刷配線基板１２における複数の接触端子部４２に対する押圧接触状態から解放された状態をとらせる。
【００４６】
上述のような、本願発明に係るコネクタ装置の一例を成すコネクタ装置１０にあっては、第１の静止位置をとるものとされたアクチュエータ１９が、その操作部３３とそれに連なる本体部３４の部分とをハウジング１３における第１の平坦外面部２０の外部に起き上がらせた状態におかれたもとで、操作部３３に誤った操作が加えられ、それにより、操作部３３及び本体部３４が、ハウジング１３に対して起き上がった第１の静止位置から、ハウジング１３に対して伏したものとされる、アクチュエータ１９がとる第２の静止位置に向かう方向とは反対の、正面側端縁部に向かう方向に回動せしめられる事態が生じ得るものとされる。
【００４７】
そして、図１２及び図１３に示されるように、アクチュエータ１９における操作部３３に斯かる誤操作が加えられ、それにより、アクチュエータ１９における操作部３３及び本体部３４が、ハウジング１３の正面側端縁部に向かう方向に回動せしめられるときには、図１３に示されるように、アクチュエータ１９における本体部３４が、ハウジング１３における複数の仕切り部２５の夫々に設けられた支点形成部３０に当接するものとされる。それにより、ハウジング１３における支点形成部３０は、アクチュエータ１９における操作部３３及び本体部３４のハウジング１３の正面側端縁部に向かう方向の回動についての支点を成す状態をとる。即ち、斯かる際にあっては、アクチュエータ１９における操作部３３及び本体部３４が、ハウジング１３における支点形成部３０を支点にして、ハウジング１３の正面側端縁部に向かう方向に回動するのである。
【００４８】
このとき、ハウジング１３における支点形成部３０は、ハウジング１３における第１の平坦外面部２０より内側の第２の平坦外面部２１に近付いた位置に形成されているので、アクチュエータ１９における操作部３３及び本体部３４は、ハウジング１３における第１の平坦外面部２０より内側の第２の平坦外面部２１に近付いた位置を支点として、ハウジング１３の正面側端縁部に向かう方向に回動するものとされることになる。
【００４９】
ここで、仮にハウジング１３における複数の仕切り部２５の夫々が、図１４に示されるように、ハウジング１３の第１の平坦外面部２０に直交するものとして形成された壁面部２８’は有するが、段部２９が形成されていず、従って、複数の仕切り部２５の夫々において、段部２９とそれに連なる壁面部２８の一端との両者が突き合う境界角部が存在していないとすると、ハウジング１３における複数の仕切り部２５の夫々において、壁面部２８’の端部とハウジング１３の第１の平坦外面部２０との両者が突き合う境界角部が形成され、斯かる境界角部が、アクチュエータ１９の回動についての支点を成す状態をとる支点形成部３０’を成していることになる。斯かるもとで、図１４に示されるように、アクチュエータ１９における操作部３３に斯かる誤操作が加えられ、それにより、アクチュエータ１９における操作部３３及び本体部３４が、ハウジング１３の正面側端縁部に向かう方向に回動せしめられるときには、アクチュエータ１９における本体部３４が、ハウジング１３における複数の仕切り部２５の夫々において壁面部２８’の端部とハウジング１３の第１の平坦外面部２０との両者が突き合う境界角部が形成する支点形成部３０’に当接するものとされる。
【００５０】
それにより、斯かる仮想構成のもとにあっては、ハウジング１３における支点形成部３０’は、アクチュエータ１９における操作部３３及び本体部３４のハウジング１３の正面側端縁部に向かう方向の回動についての支点を成す状態をとる。即ち、アクチュエータ１９における操作部３３及び本体部３４が、ハウジング１３における支点形成部３０’を支点にして、ハウジング１３の正面側端縁部に向かう方向に回動するのである。
【００５１】
このとき、ハウジング１３における支点形成部３０’は、ハウジング１３における第１の平坦外面部２０の位置に設けられているので、図１４に示されるように、支点形成部３０’からアクチュエータ１９におけるカム部３２の中心３６C までの距離Ｌｉは、比較的大なるものとされる。従って、ハウジング１３に設けられた収容空間部２６において複数のコンタクト１４の夫々に、そのビーム部３６の部分３６ａとビーム部３７の端部３７ａとに挟まれたものとされて係合したカム部３２は、支点形成部３０’を中心とする比較的大なる半径 (Ｌｉ) を有した円弧に沿って移動しようとするものとされ、それゆえ、複数のコンタクト１４の夫々におけるビーム部３６の部分３６ａ及びビーム部３７の端部３７ａとの係合を解除し易いものとされる。
【００５２】
そして、カム部３２が、複数のコンタクト１４の夫々におけるビーム部３６の部分３６ａ及びビーム部３７の端部３７ａとの係合を解除して、複数のコンタクト１４の夫々から外れてしてしまうと、アクチュエータ１９がハウジング１３から脱落してしまう事態がまねかれることになる。
【００５３】
しかしながら、実際には、コネクタ装置１０においては、前述のように、ハウジング１３における支点形成部３０が、ハウジング１３における第１の平坦外面部２０より内側の第２の平坦外面部２１に近付いた位置に形成されていて、アクチュエータ１９における操作部３３及び本体部３４が、ハウジング１３における第１の平坦外面部２０より内側の第２の平坦外面部２１に近付いた位置を支点として、ハウジング１３の正面側端縁部に向かう方向に回動するものとされる。このとき、ハウジング１３における支点形成部３０は、ハウジング１３における第１の平坦外面部２０より内側の第２の平坦外面部２１に近付いた位置に設けられているので、図１３に示されるように、支点形成部３０からアクチュエータ１９におけるカム部３２の中心３６C までの距離Ｌｒは、前述の距離Ｌｉより小であって、比較的小なるものとされる。従って、ハウジング１３に設けられた収容空間部２６において複数のコンタクト１４の夫々に、そのビーム部３６の部分３６ａとビーム部３７の端部３７ａとに挟まれたものとされて係合したカム部３２は、支点形成部３０を中心とする比較的小なる半径 (Ｌｒ) を有した円弧に沿って移動しようとするものとされ、それゆえ、複数のコンタクト１４の夫々におけるビーム部３６の部分３６ａ及びビーム部３７の端部３７ａとの係合状態を解除することがないものとされる。
【００５４】
その結果、コネクタ装置１０にあっては、アクチュエータ１９の操作部３３に誤った操作が加えられても、アクチュエータ１９におけるカム部３２が複数のコンタクト１４の夫々から外れてしまってアクチュエータ１９がハウジング１３から脱落してしまう事態を、効果的に回避することができることになる。
【産業上の利用可能性】
【００５５】
以上のような本願発明に係るコネクタ装置は、フレキシブル印刷配線基板等とされる配線板状部材の他の配線基板への取付けに用いられる、板状部材差込み部が設けられたハウジングと、ハウジングに配列配置されて設けられる複数のコンタクトと、ハウジングに対して回動可能に配され、複数のコンタクトを配線板状部材における接触端子部に押圧接触させる位置をとるアクチュエータとを備えたコネクタ装置であって、アクチュエータの操作部に誤った操作が加えられても、アクチュエータにおけるカム部が複数のコンタクトの夫々から外れてしまってアクチュエータがハウジングから脱落してしまう事態を回避することができるものとして、様々な電子機器等に広く適用され得るものである。
【符号の説明】
【００５６】
１０・・・コネクタ装置，  １１・・・配線基板、  １２・・・フレキシブル印刷配線基板，  １３・・・ハウジング，  １４・・・コンタクト，  １４ａ・・・接続端子部、  １５，１６・・・（ハウジング１３の）端部，  １７，１８・・・固定金属部材，  １９・・・アクチュエータ，  ２０・・・第１の平坦外面部，  ２１・・・第２の平坦外面部，  ２２・・・板状部材差込み部，  ２３，２４・・・溝部，  ２５・・・仕切り部，  ２６・・・収容空間部，  ２７・・・スリット部，  ２８・・・壁面部，  ２９・・・段部，  ３０・・・支点形成部，  ３１・・・透孔，  ３２・・・カム部，  ３３・・・操作部，  ３４・・・本体部，  ４１・・・接触端子部，  ４２・・・端子端部，  ４３・・・先端部，  ４４, ４５・・・被係合部，  ４６・・・回路構成部
【図１】
2018129248.tif 000003
【図２】
2018129248.tif 000004
【図３】
2018129248.tif 000005
【図４】
2018129248.tif 000006
【図５】
2018129248.tif 000007
【図６】
2018129248.tif 000008
【図７】
2018129248.tif 000009
【図８】
2018129248.tif 000010
【図９】
2018129248.tif 000011
【図１０】
2018129248.tif 000012
【図１１】
2018129248.tif 000013
【図１２】
2018129248.tif 000014
【図１３】
2018129248.tif 000015
【図１４】
2018129248.tif 000016